(57)【特許請求の範囲】
【請求項１】
内部に流体が注入または吸引される密閉容器に使用される栓体であって、
前記密閉容器に流体を注入または吸引するための貫通孔が穿設され、かつ前記密閉容器の内面に固着される第１板部材と、
該第１板部材の容器固着面の反対側において前記貫通孔を開閉する態様で設けられ、磁力で前記第１板部材に接することにより前記貫通孔を閉じるとともに、磁力に抗して前記第１板部材から離されることにより前記貫通孔を開くものとなされている第２板部材とを備え、
注入器具を前記第１板部材の前記貫通孔に押し込むと、前記第１板部材と前記第２板部材が互いに離れることにより前記貫通孔が開き、注入器具から密閉容器の内部に流体を注入または吸引し得るとともに、注入器具を前記貫通孔から引き抜くと、前記第１板部材と前記第２板部材が互いに磁力により接することにより前記貫通孔が閉じるように構成されており、
前記第１板部材の容器固着面の反対側において、一ないし複数の流体流通孔が穿設された筒状体が設けられ、該筒状体の内部に前記第２板部材が収容されており、
前記筒状体は、前記第１板部材の周縁部から前記密閉容器内部に立ち上がる円筒状の周壁部と、該周壁部の先端部に設けられた底部とからなり、
前記流体流通孔は、前記周壁部に穿設されていることを特徴とする密閉容器用栓体。
【請求項２】
前記第１板部材および前記第２板部材は薄板のゴム磁石からなる請求項１に記載の密閉容器用栓体。
【請求項３】
前記第１板部材と前記第２板部材が接する面にグリス剤が塗布されている請求項１または２に記載の密閉容器用栓体。
【請求項４】
前記第１板部材の容器固着面に粘着層が設けられ、該粘着層に粘着テープが剥離可能に貼着されている請求項１から３のいずれかに記載の密閉容器用栓体。
【請求項５】
内部に流体が注入または吸引される密閉容器であって、
前記密閉容器に流体を注入または吸引するための貫通孔が穿設され、かつ前記密閉容器の内面に固着される第１板部材と、該第１板部材の容器固着面の反対側において前記貫通孔を開閉する態様で設けられ、磁力で前記第１板部材に接することにより前記貫通孔を閉じるとともに、磁力に抗して前記第１板部材から離されることにより前記貫通孔を開くものとなされている第２板部材とを備え、注入器具を前記第１板部材の前記貫通孔に押し込むと、前記第１板部材と前記第２板部材が互いに離れることにより前記貫通孔が開き、注入器具から密閉容器の内部に流体を注入または吸引し得るとともに、注入器具を前記貫通孔から引き抜くと、前記第１板部材と前記第２板部材が互いに磁力により接することにより前記貫通孔が閉じるように構成されており、前記第１板部材の容器固着面の反対側において、一ないし複数の流体流通孔が穿設された筒状体が設けられ、該筒状体の内部に前記第２板部材が収容されており、前記筒状体は、前記第１板部材の周縁部から前記密閉容器内部に立ち上がる円筒状の周壁部と、該周壁部の先端部に設けられた底部とからなり、前記流体流通孔は、前記周壁部に穿設されている密閉容器用栓体が設けられていることを特徴とする密閉容器。
【請求項６】
前記密閉容器の外面における前記第１板部材に対応する位置において、合成樹脂製または金属製の第３板部材が固着されている請求項５に記載の密閉容器。
【発明の詳細な説明】
【技術分野】
【０００１】
本発明は、浮き袋、緩衝材、液体容器、エアージャッキ、圧縮布団袋など、内部に流体が注入または吸引される密閉容器に使用される栓体、該栓体が使用される密閉容器、並びに該栓体に使用される注入器具に関する。
【背景技術】
【０００２】
従来、浮き袋、緩衝材、エアージャッキなどのように内部に空気が注入されるもの、飲料容器などのように内部に液体が注入されるもの、あるいは圧縮布団袋のように内部の空気が吸引されるものなどのように、内部に流体が注入または吸引される各種密閉容器が知られている。
【０００３】
これら密閉容器に流体を注入または吸引するに際しては、密閉容器に穿設された貫通孔から流体を注入または吸引した後に貫通孔に栓をするが、この栓をするのに使用される栓体には種々のものが知られている。
【０００４】
例えば、空気用栓として、軟質な合成樹脂シート２１によって空気室２２を有する袋状に形成される浮き輪、枕、あるいはベッド等の空気袋内に空気を注入するために使用される空気栓 １０であって、空気穴１２を閉じる栓体１３を一体的に有した可撓性支持部１１ａを備えて、合成樹脂シート２１の表面に溶着される取付基部１１と、この取付基部１１の裏面に一体化されて、前記空気穴からの空気の前記空気袋内への出入を可能にする多数の通気孔を有した収納部１４と、この収納部１４の側壁の一部を内方へ突出させることにより形成した係止部１６と、この係止部１６より内側の収納部１４内に収納されるスポンジ体１７とを備えたものが知られている（特許文献１参照）
【０００５】
また、飲料容器用栓体として、操作レバー２６の一端に枢着部２６ａ、他端に押下部２６ｂを設け、中間部にスプリング部材３１により他端側に付勢されるスライド部材３０を装着し、スライド部材３０下面に鉤状の係合部３０ａを形成する。枢着部２６ａを栓本体２２に回動可能且つスライド可能に支持し、弁棒３３の先端に、係合突部３３ｃを設ける。栓体 ２０を容器本体１０から取り外し、操作レバー２６を回動限界Ｌ１よりも回動し、一端側にスライドさせると、スライド部材３０が操作レバー２６の一端側に移動し、係合突部３３ｃが係合部３０ａから外れ、弁機構２３が栓本体２２から外れる。栓体 ２０を容器本体１０に装着すると、把手１４ｃによって、操作レバー２６の回動が規制され、係合突部３３ｃは係合部３０ａに収容された状態を保持するものが知られている（特許文献２参照）。
【０００６】
また、同じく飲料容器用栓体として、栓本体２に導入口６と吐出口９とを備えた液通路１０を形成し、導入口６を開閉する止水弁体１１を下端に備えた弁棒１２を設け、弁棒１２を常時上方に付勢して止水弁体１１を閉状態とするスプリング部材１５を縮設し、操作部材３を栓本体２の上部に回動可能に設け、操作部材３の回動によって弁棒１２を下方に付勢して止水弁体１１を開状態とし、飲料容器内部と栓本体２内部とに連通し、飲料容器内部を減圧する減圧口８と、減圧口８を開閉する減圧弁体１６と、減圧弁体１６を常時閉状態とする小径スプリング部材２０とを設ける。操作部材３の回動によって操作部材３が、止水弁体１１が開状態となる前に減圧弁体１６を開状態とするものが知られている（特許文献３参照）。
【０００７】
【特許文献１】特開２００１−３１４２８５号公報
【特許文献２】特開２００５−２７８８５５号公報
【特許文献３】特開２００４−３１５００９号公報
【発明の開示】
【発明が解決しようとする課題】
【０００８】
しかしながら、従来の栓体はいずれも構成が複雑であるために、流体を注入または吸引したり、あるいは栓をしたりするのに手間がかかり、また製造コストがかかるという問題があった。
【０００９】
本発明は、上述の問題に鑑みてなされたものであって、簡易な構成にして、密閉容器において流体を簡単かつ確実に注入または吸引することができるとともに、注入または吸引後は簡単かつ確実に栓をすることができ、しかも製造コストを低減することが可能な栓体、該栓体が使用される密閉容器、並びに該栓体に使用される注入器具の提供を課題とする。
【課題を解決するための手段】
【００１０】
上記課題を解決するために、本発明に係る栓体は、内部に流体が注入または吸引される密閉容器に使用される栓体であって、前記密閉容器に流体を注入または吸引するための貫通孔が穿設され、かつ前記密閉容器の内面に固着される第１板部材と、該第１板部材の容器固着面の反対側において前記貫通孔を開閉する態様で設けられ、磁力で前記第１板部材に接することにより前記貫通孔を閉じるとともに、磁力に抗して前記第１板部材から離されることにより前記貫通孔を開くものとなされている第２板部材とを備え、注入器具を前記第１板部材の前記貫通孔に押し込むと、前記第１板部材と前記第２板部材が互いに離れることにより前記貫通孔が開き、注入器具から密閉容器の内部に流体を注入または吸引し得るとともに、注入器具を前記貫通孔から引き抜くと、前記第１板部材と前記第２板部材が互いに磁力により接することにより前記貫通孔が閉じるように構成されており、前記第１板部材の容器固着面の反対側において、一ないし複数の流体流通孔が穿設された筒状体が設けられ、該筒状体の内部に前記第２板部材が収容されており、前記筒状体は、前記第１板部材の周縁部から前記密閉容器内部に立ち上がる円筒状の周壁部と、該周壁部の先端部に設けられた底部とからなり、前記流体流通孔は、前記周壁部に穿設されていることを特徴とする。 
【００１１】
これによれば、所定の注入器具を第１板部材の貫通孔に押し込めば、第１板部材と第２板部材が互いに離れることにより貫通孔が開くので、密閉容器の内部に流体を簡単かつ確実に注入または吸引することができる。また、所定の注入器具を貫通孔から引き抜けば、第１板部材と第２板部材が互いに磁力により接することにより貫通孔が閉じるので、密閉容器に簡単かつ確実に栓をすることができる。しかも、本栓体は主に第１板部材と第２板部材からなるので、簡易な構成となり、製造コストを低減することが可能となる。
【００１４】
また、前記第１板部材および前記第２板部材は、薄板のゴム磁石からなるものであってもよい。これによれば、栓体を密閉容器に簡単に設けることができ、製造コストをより低減することが可能となる。
【００１５】
また、前記第１板部材と前記第２板部材が接する面にグリス剤（例えばシリコングリス）が塗布されているのが好ましい。これによれば第１板部材と第２板部材とが隙間なく接しやすくなり、より一層確実に栓をすることができ、さらに密閉容器の内圧力で接触面圧を高め気密性を増すことができる。
【００１６】
また、前記第１板部材の容器固着面に粘着層が設けられ、該粘着層に粘着テープが剥離可能に貼着されているものであってもよい。これによれば、栓体の粘着テープを剥がすだけで既存の密閉容器に簡単かつ確実に設けることができる。
【００１７】
また、本発明に係る密閉容器は、内部に流体が注入または吸引される密閉容器であって、
前記密閉容器に流体を注入または吸引するための貫通孔が穿設され、かつ前記密閉容器の内面に固着される第１板部材と、該第１板部材の容器固着面の反対側において前記貫通孔を開閉する態様で設けられ、磁力で前記第１板部材に接することにより前記貫通孔を閉じるとともに、磁力に抗して前記第１板部材から離されることにより前記貫通孔を開くものとなされている第２板部材とを備え、注入器具を前記第１板部材の前記貫通孔に押し込むと、前記第１板部材と前記第２板部材が互いに離れることにより前記貫通孔が開き、注入器具から密閉容器の内部に流体を注入または吸引し得るとともに、注入器具を前記貫通孔から引き抜くと、前記第１板部材と前記第２板部材が互いに磁力により接することにより前記貫通孔が閉じるように構成されており、前記第１板部材の容器固着面の反対側において、一ないし複数の流体流通孔が穿設された筒状体が設けられ、該筒状体の内部に前記第２板部材が収容されており、前記筒状体は、前記第１板部材の周縁部から前記密閉容器内部に立ち上がる円筒状の周壁部と、該周壁部の先端部に設けられた底部とからなり、前記流体流通孔は、前記周壁部に穿設されている密閉容器用栓体が設けられていることを特徴とする。   
【００１８】
また、前記密閉容器の外面における前記第１板部材に対応する位置において、合成樹脂製または金属製の第３板部材が固着されているものであってもよい。これによれば、第１板部材と第２板部材がゴム磁石のように柔らかいものであっても、栓体全体の強度を高めることができ、第１板部材と第２板部材の開閉動作をより安定させることが可能となる。
【発明の効果】
【００２０】
本発明によれば、簡易な構成にして、密閉容器において流体を簡単かつ確実に注入または吸引することができるとともに、注入または吸引後は簡単かつ確実に栓をすることができ、しかも製造コストを低減することが可能となる。また、貫通孔の径を変えることにより注入量または吸引量が簡単に調整可能な栓となる。
【発明を実施するための最良の形態】
【００２１】
（実施形態１）
次に本発明に係る一実施形態について説明する。
【００２２】
図１は、本実施形態に係る栓体（２）が使用される密閉容器（１）の斜視図である。
【００２３】
この密閉容器（１）は、上端部が結着され、透明または半透明の合成樹脂シートの袋状に形成されたものである。具体的には、内部に空気が注入されるもの、例えば浮き袋、緩衝材、エアージャッキ、ブーツキーパーに適用される。また、密閉容器（１）には空気を注入するための直径５ｍｍ程の貫通孔（１ａ）が穿設され、貫通孔（１ａ）の位置には栓体（２）が設けられている。
【００２４】
この栓体（２）は、図２に示すように、密閉容器（１）の内面に固着された第１板部材（２１）と、該第１板部材（２１）の容器固着面の反対側に設けられた第２板部材（２２）と、密閉容器（１）の外面に固着された第３板部材（２３）とを備えてなる。
【００２５】
前記第１板部材（２１）は、直径２５ｍｍ程の円盤状に形成されたゴム磁石からなり、中心部には直径５ｍｍ程の円形の貫通孔（２１ａ）が穿設されている。この第１板部材（２１）は、その貫通孔（２１ａ）を密閉容器（１）の貫通孔（１ａ）に軸線を一致させるようにして密閉容器（１）の内面に接着剤等により固着されている。
【００２６】
前記第２板部材（２２）は、第１板部材（２１）と同大同形のゴム磁石からなり、第１板部材（２１）の前記貫通孔（２１ａ）を開閉する態様で設けられている。すなわち、第２板部材（２２）は、その一端部（周縁一部）が第１板部材（２１）の一端部（周縁一部）に連結部材（２４）を介して軸支され、ゴム磁石の磁力で第１板部材（２１）に接することにより貫通孔（２１ａ）を閉じるとともに、ゴム磁石の磁力に抗して第１板部材（２１）から離されることにより貫通孔（２１ａ）を開くものとなされている。なお、連結部材（２４）は、通常、第２板部材（２２）が第１板部材（２１）に接近する方向に力が加えるように構成されるのが好ましい。
【００２７】
前記第３板部材（２３）は、第１板部材（２１）と同大同形の合成樹脂からなり、中心部には直径５ｍｍ程の円形の貫通孔（２３ａ）が穿設されている。この第３板部材（２３）は、その貫通孔（２３ａ）を密閉容器（１）および第１板部材（２１）の貫通孔（１ａ）（２１ａ）に軸線を一致させるようにして密閉容器（１）の外面に接着剤等により固着されている。
【００２８】
図３は、本実施形態に係る栓体（２）に使用される注入器具（４）である。
【００２９】
この注入器具（４）は、直径３ｍｍ程の細長い円筒状に形成された金属製又は合成樹脂製の吹出部（４１）と、直径５ｍｍ程の細長い円筒状に形成されたゴム製の流通部（４２）とからなり、流通部（４２）の先端部に吹出部（４１）が挿着されている。これにより流通部（４２）の後端部から空気を吹き込むと、空気が流通部（４２）を通過して、吹出部（４１）から吹き出される。
【００３０】
次に、本実施形態に係る栓体（２）の使用方法について説明する。
【００３１】
まず、図４（ａ）に示すように、注入器具（４）の吹出部（４１）を摘みながら軸線の一致した各貫通孔（１ａ）（２１ａ）（２３ａ）に差し込み、吹出部（４１）の先端部を第２板部材（２２）の表面に当接させる。
【００３２】
そして、図４（ｂ）に示すように、注入器具（４）の吹出部（４１）を密閉容器（１）内に押し込むと、第２板部材（２２）が連結部材（２４）を軸にしながらゴム磁石の磁力に抗して第１板部材（２１）から離されることにより貫通孔（１ａ）（２１ａ）（２３ａ）を開く。その後、注入器具（４）の流通部（４２）の後端部から空気を吹き込むと、空気が流通部（４２）を通過して、吹出部（４１）から吹き出され、密閉容器（１）内に空気を注入することができる。
【００３３】
そして、空気の注入が完了したあとは、図４（ｃ）に示すように、注入器具（４）の吹出部（４１）を各貫通孔（１ａ）（２１ａ）（２３ａ）から引き抜くと、第２板部材（２２）が連結部材（２４）を軸にしながらゴム磁石の磁力で第１板部材（２１）に再び接することにより貫通孔（１ａ）（２１ａ）（２３ａ）を閉じるので、密閉容器（１）を密閉状態に栓することができる。
【００３４】
（実施形態２）
次に、本発明の他の実施形態について説明する。なお、本実施形態において実施形態１と同一の部材については同一の符号を付してその説明を省略する。
【００３５】
図５は、本実施形態に係る栓体（２）の断面側面図である。
【００３６】
この栓体（２）は、密閉容器（１）の内面に固着された第１板部材（２１）と、該第１板部材（２１）の容器固着面の反対側に設けられた筒状体（２５）と、該筒状体（２５）の内部に収容された第２板部材（２２）とからなる。
【００３７】
前記筒状体（２５）は、第１板部材（２１）の周縁部から密閉容器（１）内部に立ち上がる円筒状の周壁部（２５ａ）と、該周壁部（２５ａ）の先端部に設けられた底部（２５ｂ）とからなり、周壁部（２５ａ）には多数の空気流通孔（２５ｃ）が穿設されている。  また、第２板部材（２２）は、筒状体（２５）の内部において第１板部材（２１）に対して平行となるような状態で収容されており、第１板部材（２１）に対して互いの磁力により接離可能なものとなされている。
【００３８】
なお、本実施形態では、空気が流通しやすいように多数の空気流通孔（２５ｃ）を穿設するものとしたが、一ないし少数の空気流通孔（２５ｃ）を穿設するものとしてもよい。また、周壁部（２５ａ）に空気流通孔（２５ｃ）を穿設するものとしたが、底部（２５ｂ）にも空気流通孔（２５ｃ）を穿設するものとしてもよい。また、筒状体（２５）の深さ（周壁部（２５ａ）の高さ）については、第２板部材（２２）が磁力により底部（２５ｂ）上の位置から第１板部材（２１）下の位置まで移動し得る深さに設定するのがよい。
【００３９】
次に、本実施形態に係る栓体の使用方法について説明する。
【００４０】
まず、図６（ａ）に示すように、注入器具（４）の吹出部（４１）を摘みながら軸線の一致した各貫通孔（１ａ）（２１ａ）に差し込み、吹出部（４１）の先端部を第２板部材（２２）の表面に当接させる。
【００４１】
そして、図６（ｂ）に示すように、注入器具（４）の吹出部（４１）を密閉容器（１）内に押し込むと、第２板部材（２２）が筒状体（２５）の内部でゴム磁石の磁力に抗して第１板部材（２１）から平行に離され、貫通孔（１ａ）（２１ａ）（２３ａ）を開く。その後、注入器具（４）をやや傾けながら流通部（４２）の後端部から空気を吹き込むと、空気が流通部（４２）を通過して、吹出部（４１）から吹き出されたあと、筒状体（２５）の空気流通孔（２５ｃ）から密閉容器（１）内に空気を注入することができる。
【００４２】
そして、空気の注入が完了したあとは、図６（ｃ）に示すように、注入器具（４）の吹出部（４１）を各貫通孔（１ａ）（２１ａ）から引き抜くと、第２板部材（２２）がゴム磁石の磁力により第１板部材（２１）に接して貫通孔（１ａ）（２１ａ）（２３ａ）を閉じるので、密閉容器（１）を密閉状態に栓することができる。
【００４３】
なお、以上いずれの実施形態では、栓体の形状、材質、大きさを上述のように特定したが、これらに限定されるものではなく、その他の形状、材質、大きさであってもよい。
【００４４】
また、第１板部材（２１）および第２板部材（２２）をゴム磁石の磁力により開閉するものとしたが、これに限定されるものではない。例えば、両部材をアルニコ磁石やフェライト磁石としてもよいし、いずれか一方の板部材を磁石として他方の板部材を金属として開閉するものとしてもよい。
【００４５】
また、第３板部材（２３）を設けるものとしたが、これを設けないものとしてもよい。
【００４６】
また、また、第１板部材（２１）と第２板部材（２２）が接する面にグリス剤（例えばシリコングリス）が塗布されているのが好ましい。これによれば第１板部材（２１）と第２板部材（２２）とが隙間なく接しやすくなり、より一層確実に栓をすることができ、さらに密閉容器の内圧力で接触面圧を高め気密性を増すことができる。
【００４７】
また、注入器具（４）は、吹出部（４１）と流通部（４２）からなるものとしたが、これに限定されるものではなく、貫通孔（１ａ）（２１ａ）（２３ａ）に差し込んで空気を手動または自動で吹き出せるものであればどのような構造であってもよい。
【００４８】
また、密閉容器として空気を注入する例を挙げたが、これに限定されるものではない。例えば、飲料容器などのように内部に液体が注入されるもの、あるいは布団袋のように内部の空気が吸引されるものなど、材質、大きさ、あるいは用途にかかわらず、流体を注入または吸引する密閉容器であれば適用可能である。
【産業上の利用可能性】
【００４９】
本発明は、浮き袋、緩衝材、液体容器、エアージャッキ、圧縮布団袋などの密閉容器について栓をするのに使用される。
【図面の簡単な説明】
【００５０】
【図１】本発明の一実施形態に係る密閉容器の斜視図である。
【図２】図１の栓体の断面側面図である。
【図３】図１の栓体に使用される注入器具の斜視図である。
【図４】図１の栓体の使用状態における移行を示す断面側面図である。
【図５】他の実施形態に係る栓体の断面側面図である。
【図６】図５の栓体の使用状態における移行を示す断面側面図である。
【符号の説明】
【００５１】
２・・・栓体
２１・・・第１板部材
２２・・・第２板部材
２３・・・第３板部材
【図１】
0004562138.tif 000002
【図２】
0004562138.tif 000003
【図３】
0004562138.tif 000004
【図４】
0004562138.tif 000005
【図５】
0004562138.tif 000006
【図６】
0004562138.tif 000007